(57)【要約】【課題】情報の漏洩を防止することができる情報処理装置、情報漏洩防止方法及びプログラムを提供すること。【解決手段】ＰＤＡ１０は、ユーザに装着されて使用され該ユーザに対して音声を出力するイヤホン５０と、文字情報を隠蔽して表示手段に表示させる表示制御部６１と、隠蔽表示された文字情報に対応する元の文字情報をイヤホン５０に音声出力する音声出力制御部６３とを備えている。これにより、文字情報の漏洩を防止すると共に、ユーザは文字情報の内容を把握することができる。【選択図】図５
2008242866.tif 000002
【特許請求の範囲】
【請求項１】
ユーザに装着されて使用され該ユーザに対して音声を出力する報知手段と、
文字情報を隠蔽して表示手段に表示させる表示制御手段と、
前記隠蔽表示された文字情報に対応する元の文字情報を前記報知手段に音声出力する音声出力制御手段とを備えている、ことを特徴とする情報処理装置。
【請求項２】
前記表示制御手段は、文字情報を、該文字情報に含まれる文字毎に所定の記号に変換させて前記表示手段に表示させることによって隠蔽表示させる、ことを特徴とする請求項１に記載の情報処理装置。
【請求項３】
前記隠蔽表示された文字情報のうち、音声出力させる対象の指定を受け付ける出力対象受付手段を備えている、ことを特徴とする請求項１又は２に記載の情報処理装置。
【請求項４】
文字情報のうち、隠蔽表示させる対象の指定を受け付ける隠蔽対象受付手段を備えている、ことを特徴とする請求項１乃至３の何れかに記載の情報処理装置。
【請求項５】
前記表示制御手段は、前記隠蔽表示された文字情報のうち、既に音声出力された文字情報とされていない文字情報とを識別可能に表示させる、ことを特徴とする請求項１乃至４の何れかに記載の情報処理装置。
【請求項６】
前記出力対象受付手段は、前記隠蔽表示された文字情報であって既に音声出力された文字情報のうち、再度音声出力させる文字情報の選択を受け付ける、ことを特徴とする請求項３に記載の情報処理装置。
【請求項７】
前記表示制御手段は、文字情報のうち、予め定められた語句のみを隠蔽表示する、ことを特徴とする請求項１乃至６の何れかに記載の情報処理装置。
【請求項８】
隠蔽表示された文字情報を元の文字情報に復元する際に、文字情報に対して隠蔽表示させる対象の指定を行ったユーザと、前記隠蔽表示させる対象に指定された文字情報のうち前記指定の解除を行うユーザとの認証を行う認証手段を備えている、ことを特徴とする請求項１乃至７の何れかに記載の情報処理装置。
【請求項９】
文字情報を隠蔽して表示手段に表示させるステップと、
前記隠蔽表示された文字情報に対応する元の文字情報を音声出力手段に音声出力するステップとを有している、ことを特徴とする情報漏洩防止方法。
【請求項１０】
文字情報を隠蔽して表示手段に表示させるステップと、
前記隠蔽表示された文字情報に対応する元の文字情報を音声出力手段に音声出力するステップとをコンピュータに実行させるプログラム。
【発明の詳細な説明】
【技術分野】
【０００１】
本発明は、情報処理装置、情報漏洩防止方法及びプログラムに関する。
【背景技術】
【０００２】
従来から、携帯可能な情報処理装置として、ＰＤＡ（Ｐｅｒａｓｏｎａｌ  Ｄｉｇｉｔａｌ  Ａｓｓｉｓｔａｎｔｓ）などが知られている。例えば、特許文献１乃至３には、このような携帯可能な情報処理装置に関する発明が開示されている。特許文献１には、日本語による文字情報を外国語に変換し、変換された言語で音声出力する装置が開示されている。また、特許文献２及び３には、文字情報を音声で出力する装置が開示されている
【０００３】
【特許文献１】特開２００３−１２２２４５号公報
【特許文献２】特開２００１−１４２４４４号公報
【特許文献３】特開２０００−３４７６８０号公報
【発明の開示】
【発明が解決しようとする課題】
【０００４】
しかしながら、上記の情報処理装置では、文字情報がディスプレイに表示される。例えば、特許文献１に開示されている装置では、外国語で表示された文字情報がディスプレイに表示され、また、特許文献２及び３に開示されている装置でも、文字情報が通常の態様でディスプレイに表示される。
従って、このような情報処理装置を屋外で用いた場合には、第３者にディスプレイを閲覧され、盗み読みがなされる恐れがある。
例えば、上記の携帯可能な情報処理装置を用いて、屋外で社外秘文章などの機密文章を読む、又は作成する場合には、第３者へ情報が漏洩する恐れがある
【０００５】
そこで本発明は、情報の漏洩を防止することができる情報処理装置、情報漏洩防止方法及びプログラムを提供することを目的とする。
【課題を解決するための手段】
【０００６】
上記目的は、ユーザに装着されて使用され該ユーザに対して音声を出力する報知手段と、文字情報を隠蔽して表示手段に表示させる表示制御手段と、前記隠蔽表示された文字情報に対応する元の文字情報を前記報知手段に音声出力する音声出力制御手段とを備えている、構成を採用できる。
この構成により、表示手段には文字情報が隠蔽表示されるため、第３者が表示手段を盗み読みすることによって情報が漏洩することを防止できる。また、隠蔽表示された文字情報は、音声出力されるため、例えばユーザが、音声出力手段としてイヤホンやヘッドホン、或いは骨伝導スピーカを用いることにより、隠蔽された文字情報の内容を聞くことができる。これにより、文字情報の漏洩を防止すると共に、ユーザは文字情報の内容を把握することができる。
【０００７】
上記構成において、前記表示制御手段は、文字情報を、該文字情報に含まれる文字毎に所定の記号に変換させて前記表示手段に表示させることによって隠蔽表示させる、構成を採用できる。
この構成により、文字情報に含まれる文字毎に記号に変換されるので、文字情報は、元の文字数に対応した記号群に変換される。これにより、記号の数と、音声出力される文字数とが対応した状態で表示されるので、ユーザにとっても、元の文字情報の分量などを把握することが容易となる。
【０００８】
上記構成において、前記隠蔽表示された文字情報のうち、音声出力させる対象の指定を受け付ける出力対象受付手段を備えている、構成を採用できる。
この構成により、ユーザは、音声出力させる対象を指定することができるので、例えばユーザは、聞きやすい分量毎に指定して、音声出力させることができる。
【０００９】
上記構成において、文字情報のうち、隠蔽表示させる対象の指定を受け付ける隠蔽対象受付手段を備えている、構成を採用できる。
この構成により、隠蔽表示させる対象を指定することができるので、ユーザは、他人に盗み読みされたくない文字情報のみを指定して、隠蔽表示させることができる。これにより、指定された文字情報は隠蔽表示されるが、他の文字情報は通常状態で表示されるため、文字情報全体の把握が容易となる。
【００１０】
上記構成において、前記表示制御手段は、前記隠蔽表示された文字情報のうち、既に音声出力された文字情報とされていない文字情報とを識別可能に表示させる、構成を採用できる。
この構成により、ユーザは、隠蔽表示された文字情報のうち、音声出力された文字情報と、されていない文字情報とを把握することができる。従って、ユーザは、隠蔽表示された文字情報のうち、どの位置にまで音声出力されたかを把握することができる。
【００１１】
上記構成において、前記出力対象受付手段は、前記隠蔽表示された文字情報であって既に音声出力された文字情報のうち、再度音声出力させる文字情報の選択を受け付ける、構成を採用できる。
この構成により、既に音声出力された文字情報であっても、再度音声出力させることができ、ユーザは、文字情報の内容を繰り返し聞くことができ、内容を十分に把握することができる。
【００１２】
上記構成において、前記表示制御手段は、文字情報のうち、予め定められた語句のみを隠蔽表示する、構成を採用できる。
この構成により、予め定められた語句のみを隠蔽表示するので、重要な語句のみを隠蔽することができ、他の文字については隠蔽表示されないため、文字情報の内容の把握が容易となる。
【００１３】
上記構成において、隠蔽表示された文字情報を元の文字情報に復元する際に、文字情報に対して隠蔽表示させる対象の指定を行ったユーザと、前記隠蔽表示させる対象に指定された文字情報のうち前記指定の解除を行うユーザとの認証を行う認証手段を備えている、構成を採用できる。
この構成により、文字情報を隠蔽化したユーザのみが元の文字情報に復元することができる。これにより、第３者による文字情報の復元を防止でき、情報の漏洩を防止できる。
【００１４】
また、上記目的は、文字情報を隠蔽して表示手段に表示させるステップと、前記隠蔽表示された文字情報に対応する元の文字情報を音声出力手段に音声出力するステップとを有している、ことを特徴とする情報漏洩防止方法によっても達成できる。
この構成によっても、文字情報の漏洩を防止すると共に、ユーザは文字情報の内容を把握することができる。
【００１５】
また、上記目的は、文字情報を隠蔽して表示手段に表示させるステップと、前記隠蔽表示された文字情報に対応する元の文字情報を音声出力手段に音声出力するステップとをコンピュータに実行させるプログラムによっても達成できる。
この構成によっても、文字情報の漏洩を防止すると共に、ユーザは文字情報の内容を把握することができる。
【発明の効果】
【００１６】
本発明によれば、情報の漏洩を防止することができる情報処理装置、情報漏洩防止方法及びプログラムを提供できる。
【発明を実施するための最良の形態】
【００１７】
以下、図面を用い本発明の実施例を説明する。
【００１８】
図１は、本発明に係る携帯型情報処理装置の概略図である。図２は、携帯型情報処理装置の機能ブロック図である。
ＰＤＡ１０は、図１及び図２に示すように、操作部２０、タッチペン３０、表示部４０、イヤホン５０、制御部６０などから構成される。
操作部２０は、ＰＤＡ１０に対してユーザが各種の指示を与えるものである。
タッチペン３０は、表示部４０のタッチパネル４２上をタッチして、タッチパネル４２上での位置情報を制御部６０へ入力するものである。ユーザは、タッチペン３０によってもＰＤＡ１０に対して各種の指示を与えることができる。
【００１９】
表示部４０は、ディスプレイ４１、タッチパネル４２から構成され、ディスプレイ４１上に、透明なタッチパネル４２が積層されている。
イヤホン５０は、音声出力手段として機能し、ＰＤＡ１０を使用するユーザが装着することにより、そのユーザに対して音声を出力する。また、イヤホン５０は、ＰＤＡ１０に対して着脱可能に形成されている。
【００２０】
制御部６０は、ＰＤＡ１０全体の作動を制御するものであり、表示制御部６１、受付部６２、音声出力制御部６３、認証部６４などから構成される。また、制御部６０は、図３に示すように、ＲＯＭ（Ｒｅａｄ  Ｏｎｌｙ  Ｍｅｍｏｒｙ）６７ａ、ＣＰＵ（Ｃｅｎｔｒａｌ  Ｐｒｏｃｅｓｓｉｎｇ  Ｕｎｉｔ）６７ｂ、ＲＡＭ（Ｒａｎｄｏｍ  Ａｃｃｅｓｓ  Ｍｅｍｏｒｙ）６７ｃ、インターフェース６７ｄなどから構成される。図３は、制御部６０のハードウェア構成を示した図である。
【００２１】
表示制御部６１は、ディスプレイ４１に画像情報を出力して所定の画像を表示させる。また、記憶部７０に記憶された文字情報を、所定の記号に変換して、ディスプレイ４１に対して、その文字情報が隠蔽された状態で表示させる。
【００２２】
受付部６２は、タッチパネル４２から又は操作部２０から入力された信号に基づいて、ＰＤＡ１０に対する操作指示を受け付ける。また、詳しくは後述するが、受付部６２は、隠蔽表示された文字情報のうち、音声出力させる対象の指定を受け付ける。また、受付部６２は、隠蔽表示させる対象の指定を受け付ける。
【００２３】
音声出力制御部６３は、ＰＤＡ１０に対して外部接続されたイヤホン５０に音声を出力する。また、音声出力制御部６３は、表示部４０に隠蔽表示された文字情報に対応する元の文字情報をイヤホン５０に音声出力する。詳細には、音声出力制御部６３は、隠蔽表示された文字情報の元の文字情報を、表示制御部６１から取得する。この元の文字情報を取得することにより、音声出力制御部６３は、イヤホン５０に音声出力することができる。
【００２４】
認証部６４は、詳しくは後述するが、隠蔽表示された文字情報を元の文字情報に復元する際に、文字情報に対して隠蔽表示させる対象の指定を行ったユーザと、隠蔽表示させる対象に指定された文字情報のうち指定の解除を行うユーザとの認証を行う。
【００２５】
記憶部７０は、ＨＤＤから構成され、文章ファイル等として文字情報が記憶されている。
【００２６】
次に、制御部６０の処理について説明する。
図４は、制御部６０が実行する、文字情報変換処理の一例を示したフローチャートである。この処理は、文字情報を隠蔽表示するために、文字情報を、該文字情報に含まれる文字毎に所定の記号に変換させる処理である。図５は、文字情報の変換例を示した模式図である。
【００２７】
受付部６２は、ユーザからの指示が、文字情報の全文を記号に変換するものであるかどうかを判定する（ステップＳ１）。文字情報の全文を変換する場合には、図５（ａ）に示した、変換前の文字情報が、図５（ｂ）に示すように、文字毎に●の記号に変換される（ステップＳ４）。このように文字情報が、意味を持たない記号に変換されるので、この変換された文字情報をディスプレイ４１に表示したときに、第３者から盗み読みされた場合であっても、情報の漏洩を防止できる。
【００２８】
ステップＳ１において、全文を記号変換しない場合には、受付部６２は、ユーザからの指示が、予め設定されたキーワード部分のみを変換するものであるかどうかを判定する（ステップＳ２）。キーワード部分のみを変換するものである場合には、文字情報のうち、該当するキーワード部分のみが●に変換される（ステップＳ４）。これにより、ユーザは、重要な部分のみを記号に変換することができ、その他の部分は通常の状態で文字が表示されるため、文字情報の内容の把握が容易となる。
【００２９】
ステップＳ２において、キーワード部分のみを変換するものではない場合には、受付部６２は、タッチパネル４２からの信号により、所定の文字がタッチされたかどうかを判定する（ステップＳ３）。所定の文字がタッチされた場合には、例えば、図５（ｃ）に示すように、タッチされた文字のみが、●に変換される（ステップＳ４）。ユーザは、この変換を、タッチペン３０を用いることにより行うことができる。
【００３０】
このように、ユーザは、隠蔽表示させる対象を指定することができるので、他人に盗み読みされたくない文字情報のみを指定して、隠蔽表示させることができる。これにより、指定された文字情報は隠蔽表示されるが、他の文字情報は通常状態で表示されるため、文字情報全体の把握が容易となる。
【００３１】
次に、変換した内容で確定する指示があるかどうかを判定する（ステップＳ５）。確定しない場合には、制御部６０は、再度ステップＳ１から処理を実行する。確定する指示があった場合には、表示制御部６１は、表示部４０にパスワード入力画面を表示させる。図６は、表示部４０に表示される、パスワード入力画面の例示図である。ユーザは、パスワードを入力することにより、制御部６０は、変換した文字情報の内容を記憶部７０に記憶させる。尚、変換された文字情報の元の文字情報については、表示部４０等に表示はされないが記憶部７０に、変換された文字情報に関連付けられて記憶される。
【００３２】
尚、ステップＳ３において所定の文字がタッチされていないと判断した場合、及びステップＳ５において、変換した内容で確定しない場合には、受付部６２は、再度ステップＳ１の処理を実行する。
【００３３】
次に、制御部６０が実行する音声出力処理について説明する。
図７は、制御部６０が実行する、音声出力処理の一例を示したフローチャートである。
音声出力処理は、隠蔽表示された文字情報を音声出力するための処理である。図８は、音声出力中での、表示部に隠蔽表示される文字情報の例示図である。
受付部６２は、ユーザからの指示が、全文を自動読上げするものであるかどうかを判定する（ステップＳ１１）。自動読上げする場合には、音声出力制御部６３は、変換された文字情報に付随した、変換前の元の文字情報に含まれる文字を認識して、全文をイヤホン５０に音声出力する（ステップＳ１４）。これにより、ユーザは、変換された文字情報、即ち、表示部４０に隠蔽表示された文字情報を見ながら、文字情報の内容を聞くことができる。
【００３４】
次に、表示制御部６１は、既に音声出力された文字情報を、音声出力されていない文字情報を識別可能に表示部４０に対して表示させる。具体的には、既に音声出力された文字に該当する●を○に変換して表示させる（ステップＳ１５）。図８（ａ）は、その際の例示図である。読上げられた文字に対応して、●から○へと変換されて表示される。
【００３５】
また、自動読上げの指示がない場合には、受付部６２は、●がタッチされたかどうかを判定する（ステップＳ１２）。タッチされた場合には、音声出力制御部６３は、タッチされた●のみをイヤホン５０へ音声出力する（ステップＳ１３）。ステップＳ１３の後、表示制御部６１は前述した場合と同様に、既に音声出力された文字に該当する●を○に変換して表示させる（ステップＳ１５）。図８（ｂ）は、タッチペン３０を用いて、ユーザが、●をタッチして音声出力させる際の例示図である。
【００３６】
このように、表示部４０には文字情報が隠蔽表示されるため、第３者が表示部４０を盗み読みすることによって情報が漏洩することを防止できる。また、隠蔽表示された文字情報は、イヤホン５０を介して音声出力されるため、隠蔽された文字情報の内容を聞くことができる。これにより、文字情報の漏洩を防止すると共に、ユーザは文字情報の内容を把握することができる。
【００３７】
また、表示制御部６１は、隠蔽表示された文字情報のうち、既に音声出力された文字情報とされていない文字情報とを識別可能に表示させる（ステップＳ１５）。従って、ユーザは、隠蔽表示された文字情報のうち、音声出力された文字情報と、されていない文字情報とを把握することができる。従って、ユーザは、隠蔽表示された文字情報のうち、どの位置にまで音声出力されたかを把握することができる。
【００３８】
また、受付部６２は、音声出力させる対象の指定を受け付ける（ステップＳ１２）。従って、例えばユーザは、聞きやすい分量毎に指定して、音声出力させることができる。
【００３９】
次に、受付部６２は、再度読上げの指示があるかどうかを判定する（ステップＳ１６）。再度読上げの指示がない場合にはこの処理を終了する。再度読上げの指示がある場合には、受付部６２、自動読上げの指示であるかどうかを判定する（ステップＳ１７）。自動読上げの指示である場合には、表示制御部６１は、既に音声出力された文字に対応する○を●に変換して表示させ（ステップＳ２０）、音声出力制御部６３は、再度ステップＳ１４の処理を実行する。
【００４０】
自動読上げの指示がない場合には、受付部６２は、○がタッチされたかどうかを判定する（ステップＳ１８）。○がタッチされていない場合には、受付部６２は、再度ステップＳ１６の処理を実行する。○にタッチされている場合には、表示制御部６１は、タッチされた○を●に変換する（ステップＳ１９）。変換後は、受付部６２は、再度ステップＳ１１の処理を実行する。
【００４１】
このように受付部６２は、隠蔽表示された文字情報であって既に音声出力された文字情報のうち、再度音声出力させる文字情報の選択を受け付ける。これにより、ユーザは、文字情報の内容を繰り返し聞くことができ、内容を十分に把握することができる。
【００４２】
次に、制御部６０が実行する復元処理について説明する。
図９は、制御部６０が実行する、復元処理の一例を示したフローチャートである。
この復元処理とは、記号変換された文字情報を、変換される前の元の文字情報へと復元する処理である。
【００４３】
復元処理の指示があった場合、表示制御部６１は、図６に例示したパスワード入力が面を、表示部４０に表示させる（ステップＳ３１）。次に、受付部６２は、入力されたパスワードが、前述したステップＳ６で入力されたパスワードと一致するかどうかを判定する（ステップＳ３２）。パスワードが一致する場合には、文字情報を記号に変換したユーザと、その変換を解除して元の文字情報へ復元するユーザとが一致するものとして、表示制御部６１は、文字情報を復元して表示させる。
【００４４】
このような構成により、文字情報を隠蔽化したユーザのみが元の文字情報に復元することができる。これにより、第３者による文字情報の復元を防止でき、情報の漏洩を防止できる。
尚、パスワードが一致しない場合には、制御部６０は文字情報の復元処理を行わずにこの処理を終了する。
【００４５】
以上、本発明の実施例について詳述したが、本発明は係る特定の実施例に限定されるものではなく、特許請求の範囲に記載された本発明の要旨の範囲内において、種々の変形・変更が可能である。
【００４６】
上記実施例において、携帯型情報処理装置に限定したが、携帯型に限定されず、デスクトップ型パソコンであってもよい。また、携帯型情報処理装置として、携帯電話などであってもよい。
また、上記実施例では、タッチペンを用いたが、このような構成に限定されず、例えば、マウスやキーボードを用いて、音声出力の対象などを指定できるように構成してもよい。
また、上記実施例では、音声出力手段としてイヤホンを採用したが、ヘッドホン、或いは骨伝導スピーカを採用してもよい。
また、文字情報の変換に用いられた記号は、実施例で採用したものに限定されない。
【図面の簡単な説明】
【００４７】
【図１】図１は、携帯型情報処理装置の概略図である
【図２】図２は、携帯型情報処理装置の機能ブロック図である。
【図３】図３は、制御部のハードウェア構成を示した図である。
【図４】図４は、制御部が実行する文字情報変換処理の一例を示したフローチャートである。
【図５】図５は、文字情報の変換例を示した模式図である。
【図６】図６は、パスワード入力画面の例示図である。
【図７】図７は、制御部が実行する音声出力処理の一例を示したフローチャートである。
【図８】図８は、音声出力中での、表示部に隠蔽表示される文字情報の例示図である。
【図９】図９は、制御部が実行する、復元処理の一例を示したフローチャートである。
【符号の説明】
【００４８】
１０                                        ＰＤＡ
２０                                        操作部
３０                                        タッチペン
４０                                        表示部
４１                                        ディスプレイ
４２                                        タッチパネル
５０                                        イヤホン
６０                                        制御部
６１                                        表示制御部
６２                                        受付部
６３                                        音声出力制御部
６４                                        認証部
７０                                        記憶部
【図１】
2008242866.tif 000003
【図２】
2008242866.tif 000004
【図３】
2008242866.tif 000005
【図４】
2008242866.tif 000006
【図５】
2008242866.tif 000007
【図６】
2008242866.tif 000008
【図７】
2008242866.tif 000009
【図８】
2008242866.tif 000010
【図９】
2008242866.tif 000011